(57)【要約】フィードバック搬送波再生の前に、同期シンボルブロック及びデータシンボルブロックを含むデータストリームにおけるサイクルスリップを検出し訂正する方法が記載される。位相アンビギュイティ角は、データストリームにおける同期シンボルブロックの直前のシンボルブロックの検出すると計算される。サイクルスリップ訂正器は、前記計算された位相アンビギュイティ角が訂正されたデータストリームを生成するために以前計算された位相アンビギュイティ角と異なることを決定すると、サイクルスリップの訂正を開始する。訂正されたデータストリームは、フィードバック搬送波再生回路に提供される。
2012528520.tif 000002
【特許請求の範囲】
【請求項１】
同期シンボルブロック及びデータシンボルブロックを含むデータストリームにおいてサイクルスリップを検出し訂正する方法であって、前記方法は、フィードバック搬送波再生の前に、
データストリームにおける同期シンボルブロックの直前のシンボルブロックを検出すると、位相アンビギュイティ角を計算することと、
前記計算された位相アンビギュイティ角が、訂正されたデータストリームを生成するために以前計算された位相アンビギュイティ角と異なると判定すると、サイクルスリップ訂正器においてサイクルスリップの訂正を開始することと、
フィードバック搬送波再生回路に訂正されたデータストリームを提供することと
を含むことを特徴とする方法。
【請求項２】
前記データストリームは、パイロットシンボルブロックをさらに含むことを特徴とする請求項１に記載の方法。
【請求項３】
位相アンビギュイティ角を計算することは、前記データストリームにおいて受信したパイロットシンボルブロックの直前のパイロットシンボルを検出することに応答して実行されることを特徴とする請求項２に記載の方法。
【請求項４】
前記同期シンボルは、
【数１】
2012528520.tif 000018
により表され、ｓは同期シンボルの開始インデックスを表し、Ｎは同期シンボルの数を表し、ｔ［ｉ］は既知の同期シンボルを表しかつＡにより示される一定の振幅を有し、前記受信された信号に埋め込まれた雑音はｗ［ｉ］により示されることを特徴とする請求項１に記載の方法。
【請求項５】
前記位相アンビギュイティ角は、
【数２】
2012528520.tif 000019
により表されることを特徴とする請求項１に記載の方法。
【請求項６】
前記位相アンビギュイティ角は、
【数３】
2012528520.tif 000020
により表され、angle（●）は角度を計算する演算を表し、（●）*は、角度を計算するために必要な複素共役の演算を表すことを特徴とする請求項１に記載の方法。
【請求項７】
サイクルスリップ訂正は
【数４】
2012528520.tif 000021
により表される演算を使用することにより実行されることを特徴とする請求項１に記載の方法。
【請求項８】
同期シンボルブロック及びデータシンボルブロックを含むデータストリームにおけるサイクルスリップを検出し訂正する装置であって、前記装置は、フィードバック搬送波再生の前に、
受信された同期シンボルブロックの直前の同期シンボルの検出において、位相アンビギュイティ角を計算するサイクルスリップ検出器と、
前記計算された位相アンビギュイティ角が訂正されたデータストリームを生成するために以前に計算された位相アンビギュイティ角と異なることを決定することにおいて、サイクルスリップの訂正を開始するサイクルスリップ訂正器と、
フィードバック搬送波再生回路に訂正されたデータストリームを提供する出力と
を備えることを特徴とする装置。
【請求項９】
前記データストリームは、パイロットシンボルブロックをさらに含むことを特徴とする請求項８に記載の装置。
【請求項１０】
前記位相アンビギュイティ角は、受信したパイロットシンボルブロックの直前のパイロットシンボルを検出することに応答して計算されることを特徴とする請求項９に記載の方法。
【請求項１１】
前記同期シンボルは、
【数５】
2012528520.tif 000022
により表され、ｓは同期シンボルの開始インデックスを表し、Ｎは同期シンボルの数を表し、ｔ［ｉ］は既知の同期シンボルを表しかつＡにより示される一定の振幅を有し、前記受信された信号に埋め込まれた雑音はｗ［ｉ］により示されることを特徴とする請求項８に記載の装置。
【請求項１２】
前記位相アンビギュイティ角は、
【数６】
2012528520.tif 000023
により表されることを特徴とする請求項８に記載の装置。
【請求項１３】
前記位相アンビギュイティ角は、
【数７】
2012528520.tif 000024
により表され、angle（●）は角度を計算する演算を表し、（●）*は、角度を計算するときに必要な複素共役の演算を表すことを特徴とする請求項８に記載の装置。
【請求項１４】
サイクルスリップ訂正は
【数８】
2012528520.tif 000025
により表される演算を使用することにより実行されることを特徴とする請求項８に記載の装置。
【請求項１５】
同期シンボルブロック及びデータシンボルブロックを含むデータストリームにおけるサイクルスリップを検出し訂正する方法であって、前記方法は、フィードフォワード搬送波再生の前に、
受信した同期シンボルブロックの直前のシンボルブロックを検出すると、位相アンビギュイティ角を計算することと、
前記計算された位相アンビギュイティ角が、訂正されたデータストリームを生成するために以前計算された位相アンビギュイティ角と異なることを決定すると、サイクルスリップ訂正器においてサイクルスリップの訂正を開始することと、
フィードフォワード搬送波再生回路に訂正されたデータストリームを提供することと
を含むことを特徴とする方法。
【請求項１６】
前記データストリームは、パイロットシンボルブロックをさらに含むことを特徴とする請求項１５に記載の方法。
【請求項１７】
位相アンビギュイティ角を計算することは、受信したパイロットシンボルブロックの直前のパイロットシンボルを検出することに応答して実行されることを特徴とする請求項１６に記載の方法。
【請求項１８】
前記同期シンボルは、
【数９】
2012528520.tif 000026
により表され、ｓは同期シンボルの開始インデックスを表し、Ｎは同期シンボルの数を表し、ｔ［ｉ］は既知の同期シンボルを表しかつＡにより示される一定の振幅を有し、前記受信された信号に埋め込まれた雑音はｗ［ｉ］により示されることを特徴とする請求項１５に記載の方法。
【請求項１９】
前記位相アンビギュイティ角は、
【数１０】
2012528520.tif 000027
により表されることを特徴とする請求項１５に記載の方法。
【請求項２０】
前記位相アンビギュイティ角は、
【数１１】
2012528520.tif 000028
により表され、angle（●）は角度を計算する演算を表し、（●）*は、角度を計算するときに必要な複素共役の演算を表すことを特徴とする請求項１５に記載の方法。
【請求項２１】
サイクルスリップ訂正は
【数１２】
2012528520.tif 000029
により表される演算を使用することにより実行されることを特徴とする請求項１５に記載の方法。
【請求項２２】
同期シンボルブロック及びデータシンボルブロックを含むデータストリームにおけるサイクルスリップを検出し訂正する装置であって、前記装置は、フィードフォワード搬送波再生の前に、
受信された同期シンボルブロックの直前の同期シンボルの検出において、位相アンビギュイティ角を計算するサイクルスリップ検出器と、
前記計算された位相アンビギュイティ角が訂正されたデータストリームを生成するために以前に計算された位相アンビギュイティ角と異なることを決定すると、サイクルスリップの訂正を開始するサイクルスリップ訂正器と、
フィードフォワード搬送波再生回路に訂正されたデータストリームを提供する出力と
を備えることを特徴とする装置。
【請求項２３】
前記データストリームは、パイロットシンボルブロックをさらに含むことを特徴とする請求項２２に記載の装置。
【請求項２４】
前記位相アンビギュイティ角は、受信したパイロットシンボルブロックの直前のパイロットシンボルを検出することに応答して計算されることを特徴とする請求項２３に記載の方法。
【請求項２５】
前記同期シンボルは、
【数１３】
2012528520.tif 000030
により表され、ｓは同期シンボルの開始インデックスを表し、Ｎは同期シンボルの番号を表し、ｔ［ｉ］は既知の同期シンボルを表しかつＡにより示される一定の振幅を有し、前記受信された信号に埋め込まれた雑音はｗ［ｉ］により示されることを特徴とする請求項２２に記載の装置。
【請求項２６】
前記位相アンビギュイティ角は、
【数１４】
2012528520.tif 000031
により表されることを特徴とする請求項２２に記載の装置。
【請求項２７】
前記位相アンビギュイティ角は、
【数１５】
2012528520.tif 000032
により表され、angle（●）は角度を計算する演算を表し、（●）*は、角度を計算するときに必要な複素共役の演算を表すことを特徴とする請求項２２に記載の装置。
【請求項２８】
サイクルスリップ訂正は
【数１６】
2012528520.tif 000033
により表される演算を使用することにより実行されることを特徴とする請求項２２に記載の装置。
【発明の詳細な説明】
【技術分野】
【０００１】
この出願は、２００９年５月２９日に出願された米国仮特許出願６１／２１７３３３の利益を請求し、参照することにより本明細書にその全体が含まれる。
【０００２】
本明細書に表された原理は高速サイクルスリップ検出、及び衛星システムにおいて向上した通信の訂正のための方法及び装置に関連する。
【背景技術】
【０００３】
搬送波再生回路の位相検出器は、異なる安定点を有する。多値位相偏移変調（ＭＰＳＫ）に関し、安定点は、２π／Ｍの個別の配置点上に与えられ、ここでＭは、変調の順番である。これは通常「２π／Ｍの位相アンビギュイティ」と称される。個別のデ・ローテーション論理を使用して位相アンビギュイティを訂正し、シンボルをデ・ローテーションに続く前方誤り訂正（ＦＥＣ）に対する正しい配置にデ・ローテートして戻さなければならない。搬送波トラッキング又は収集段階の間、位相検出器の位相推定は、通常は前述の安定点の周囲を変動する。搬送波再生ループに入った雑音がある閾値を横切る場合、位相推定を隣接する安定配置点内にプッシュすることができる。この効果はサイクルスリップと呼ばれ、デ・ローテーション論理が新しい安定点の後に続く必要があるので、ＦＥＣにおいて誤りを引き起こす場合がある。シグナリング配置は、典型的にある程度の回転対象を有し、２π／Ｍの位相アンビギュイティに対する原点を提供する。ＱＡＭ（直角位相振幅変調）／ＱＰＳＫ（４相位相変位変調）配置は、４つの部分からなる対称性を有し、同様にその４つの回転のうちの１つにロックされやすい。８ＰＳＫ（８相位相変位変調）は、８つの部分からなる対称性を有する。搬送波再生ループは、システムにおいて位相雑音を追跡するのにほとんど遅延しないように構成されるので、ループの誤りはしばしばスライサの決定から導かれ、これにより任意の２π／Ｍ回転はループに対する実行可能なロックポイントとなる。正しい位相が設定される場合、十分に大きな雑音は一のロックポイントから他のロックポイントにループをプッシュすることができる。
【０００４】
従来、デ・ローテーション論理は、位相アンビギュイティを除去する既知のシンボル（又は、トレーニングシンボル）に依存する。既知の（トレーニング）シンボルを与えられるので、配置に対する１の有効な回転のみが存在する。他のシステムは誤り率を検査する。すべてのループがロックされるが、誤り率が高い場合、その回転は間違いであり、他の回転が使用される可能性がある。適切な回転に到達するまで、システムは異なる回転を通るであろう。しかし、これは時間のかかることであり、数百又は数千のシンボル、又はそれより多くのシンボルを含み得る有効なデータの復号を開始するために、ＦＥＣはかなりの時間を要する。しかし、この従来の方法を使用すると、既知のシンボルを有するブロックが受信機に到達し、デ・ローテーション論理が、正しい位相に配置点を回転することが可能である点まで、全体のデータブロックを破損するかも知れない。
【発明の概要】
【０００５】
従来技術のこれらの及び他の欠点及び不利益を、本発明の原理により対処するが、本発明の原理は、衛星システムにおける改良された通信のための第１のサイクルスリップの検出及び訂正のための装置又は方法に向けられている。
【０００６】
本発明の原理の一態様によると、衛星システムにおける改良された通信のための高速のサイクルスリップ検出及び訂正のための方法又は装置が提供される。
【０００７】
フィードバック搬送波再生の前に、同期シンボルブロック及びデータシンボルブロックを含むデータストリームにおいてサイクルスリップを検出及び訂正する方法及びサイクルスリップを検出及び訂正する装置が、記載される。データストリームにおける同期シンボルブロックの直前の同期シンボルを検出すると、位相アンビギュイティ角が計算される。計算された位相アンビギュイティ角が訂正されたデータストリームを生成するために以前計算された位相アンビギュイティ角と異なると判定すると、サイクルスリップ訂正器はサイクルスリップの訂正を開始する。訂正されたデータストリームはフィードバック搬送波再生回路に提供される。
【０００８】
データストリームはパイロットシンボルブロックをさらに含むことができる。位相アンビギュイティ角の計算は、データストリームにおいて受信されたパイロットシンボルブロックの直前のシンボルを検出することに応答して実行することができる。同期シンボルを、
【０００９】
【数１】
2012528520.tif 000003
【００１０】
により表す事ができる。ここでｓは同期シンボルの開始インデックスを表し、Ｎは同期シンボルの番号を表し、ｔ［ｉ］は既知の同期シンボルを表し、Ａにより示される一定の振幅を有する。受信された信号に埋め込まれた雑音はｗ［ｉ］により示される。位相アンビギュイティ角を、
【００１１】
【数２】
2012528520.tif 000004
【００１２】
により表すことができる。
【００１３】
位相アンビギュイティ角を、
【００１４】
【数３】
2012528520.tif 000005
【００１５】
と表すこともできる。ここで、angle（●）は角度を計算する演算を表し、（●）*は、角度を計算するときに必要な複素共役の演算を表す。サイクルスリップの訂正は、
【００１６】
【数４】
2012528520.tif 000006
【００１７】
で表される演算を使用することにより実行される。
【００１８】
フィードフォワード搬送波再生の前に、データストリームにおいてサイクルスリップを検出及び訂正する方法、及びサイクルスリップを検出及び訂正する装置において、上記の方法及び装置も実装できる。
【００１９】
本発明の原理のこれら又は他の態様、特徴及び利点は、添付の図面に関連して読まれる以下の例示の実施形態の詳細な説明から明らかになるであろう。
【図面の簡単な説明】
【００２０】
【図１ａ】サイクルスリップの検出及び訂正を実装するためのフィードバック搬送波再生回路を示す図である。
【図１ｂ】サイクルスリップの検出及び訂正を実装するためのフィードフォワード搬送波再生回路を示す図である。
【図２】サイクルスリップの検出及び訂正のフィードバック及びフィードフォワード搬送波再生ループに送信された、ＤＶＢ−Ｓ２信号の例を示す図である。
【図３】本発明の原理によるサイクルスリップの検出及び訂正を実行するために行われるステップを詳述するフローチャートである。
【発明を実施するための形態】
【００２１】
記載された実装の特徴及び態様を他の態様に適合することができる。本明細書に記載された実装を特定の内容において表現するが、この記載は、決してこの実装及びコンテキストの特徴及び概念を限定するものとして解釈されるべきではない。
【００２２】
本明細書に記載された実装は、例えば方法又はプロセス、装置、又はソフトウェアプログラムにおいて実装される。実装の一の形式のコンテキストにおいて説明されるだけであっても（例えば、方法としてのみ説明される）、説明された実装及び特徴を他の形式（例えば、装置又はプログラム）において実装することもできる。例えば、適切なハードウェア、ソフトウェア、及びファームウェアにおいて、装置を実装できる。例えば、コンピュータ又は他の処理デバイス等の装置において、方法を実装できる。加えて、処理デバイス又は他の装置により実行される命令により方法を実装でき、この命令を、ＣＤ、又は他のコンピュータ可読記憶装置等のコンピュータ可読媒体、又は集積回路に記憶できる。さらに、コンピュータ可読媒体は、実装により生成されたデータ値を格納できる。
【００２３】
当業者には明らかなように、実装は、例えば格納でき送信できる情報を搬送するためにフォーマットされた信号を生成する。情報はまた、例えば方法を実行するための命令、又は記載された実装の１つにより生成されたデータを含む。信号はさまざまな形式をとり、例えば信号をアナログ、デジタルとすることもでき、及び送信に適したベースバンドとし又は送信に適した搬送波周波数に変調することもできる。さらに、信号をコンピュータ可読媒体に記憶することもできる。
【００２４】
加えて、多くの実装を、１又はそれより多くのエンコーダ、エンコーダ用プリプロセッサ、デコーダ、又はデコーダ用ポストプロセッサにおいて実装できる。記載され検討された実装は、さまざまな異なるアプリケーション又は製品において使用できる。アプリケーション又は製品のいくつかの例は、セットトップボックス、携帯電話、ＰＤＡ、テレビジョン、パーソナル記憶装置（例えば、ＰＶＲ、記録ソフトウェアを実行するコンピュータ、ＶＨＳ記憶装置）、カムコーダ、インターネット又は他のリンク上のデータのストリーミング、及びビデオオンデマンドを含む。
【００２５】
さらに、他の実装は本明細書の公開により検討することができる。例えば、追加の実装を、公開された実装のさまざまな特徴を結合し、削除し、修正し、又は補うことにより生成できる。
【００２６】
搬送波再生ループに到達する前にサイクルスリップを検出する及びその影響を除去する装置は、本明細書に記載される。搬送波再生ループの前にサイクルスリップを検出することは、サイクルスリップによりもたらされるデータの破損の可能性を減少するのに有利である。本明細書には、データストリームが搬送波再生回路に到達する前のサイクルスリップの検出及びその影響の訂正が記載される。
【００２７】
図１ａにおいて、フィードバック搬送波再生回路１０１におけるサイクルスリップの検出及び訂正の図が示される。第１のデ・ローテータ１０３の後の受信された信号が、ｒ［ｎ］として示され（図２）、対応する受信されたＤＶＢ−Ｓ２信号の同期シンボルが、
【００２８】
【数５】
2012528520.tif 000007
【００２９】
として示される。ここで、ｓは、同期シンボルの開始インデックスを表し、Ｎは同期シンボルの数を表す。したがって受信された同期シンボル
【００３０】
【数６】
2012528520.tif 000008
【００３１】
（図２）は、
【００３２】
【数７】
2012528520.tif 000009
【００３３】
として表現される。ここで、ＭＰＳＫ信号に対する位相アンビギュイティ角は、
【００３４】
【数８】
2012528520.tif 000010
【００３５】
と表される。ｔ［ｉ］は既知の同期シンボルを表し、Ａにより示される一定の振幅を有し、受信された信号に埋め込まれた雑音はｗ［ｉ］により表される。位相アンビギュイティ角は、
【００３６】
【数９】
2012528520.tif 000011
【００３７】
により推定され表現される。ここで、ａｎｇｌｅ（●）は角度を計算するための演算を表し、（●）*は、角度を計算するときに必要な複素共役の演算を表す。位相アンビギュイティ角は、配置に対する安定した回転の可能性におけるシンボルを表す。
【００３８】
サイクルスリップ検出器／訂正器１０５は、同期シンボルが到達した場合、位相アンビギュイティ角度
【００３９】
【数１０】
2012528520.tif 000012
【００４０】
を計算し、現在の角度と前の角度
【００４１】
【数１１】
2012528520.tif 000013
【００４２】
を比較する。２つの角度が異なる場合、サイクルスリップ検出器／訂正器１０５はサイクルスリップが発生した旨の指示を提供する。その後、サイクルスリップ訂正回路（図示せず）を、サイクルスリップの悪影響を補償するために起動する。サイクルスリップの訂正のための数学的な演算は、
【００４３】
【数１２】
2012528520.tif 000014
【００４４】
により表される。スライサ１１３は信号を受信し、更なる処理を行うための信号を最適化するために信号をスライスする。
【００４５】
ＣＴＬ（Computation Tree Logic）１１１は、信号の論理演算を行い、パーサ１０９で解析するための信号をさらに修正する。パーサ１０９は、信号の正弦波の表示を計算する。位相シフタ１０７は、サイクルスリップ検出器／訂正器１０５により正弦波をシフトして、サイクル検出において使用するための遅れた位相がシフトされた時間を提供する。
【００４６】
図１ｂにおいて、フィードフォワード搬送波再生回路１５１におけるサイクルスリップ検出及び訂正の図が示される。サイクルスリップ検出器／訂正器１５５を使用して実行する計算は、図１ａのサイクルスリップ検出器／訂正器１０５において実行される計算と同様である。スライサ１６３は、デ・ローテートされた信号をスライスし、サイクルスリップ検出のための信号を最適化する。ＦＦ（フィードフォワード）位相ローテータ１６５は、信号の正弦波の表示を計算するパーサ１５９に信号を送る前に、サイクルスリップ検出器／訂正器から入るその信号の位相を調整する。
【００４７】
信号が搬送波再生回路又はステージに到達する前にサイクルスリップの検出及び訂正が双方実行されるため、図１ａ及び図１ｂに示された実施形態は有利である。これにより、衛星システムを通してデータフローの破損又は妨害を引き起こすサイクルスリップを限定するより効率的かつ効果的な方法をもたらす。
【００４８】
図２は、サイクルスリップの検出及び訂正のフィードバック及びフィードフォワード搬送波再生ループに送信された例示のＤＶＢ−Ｓ２信号を示す。ＳＹＮＣシンボルは、データパケット又はシンボルの間に挿入されるものとして示される。本発明の装置の一実施形態において、サイクルスリップの検出は、位相アンビギュイティを検出するための送信されたデータストリーム内の既知のシンボル又はトレーニングシンボルに依存する。例えば、ＤＶＢ−Ｓ２において、図２に示すようにデータシンボル又はパケットの前に配置された既知の同期シンボルがある。同期シンボルは、データシンボル又はパケットが続くことを示すために使用される。ＤＶＢ−Ｓ２信号はまた、図２には示さないが、サイクルスリップの検出のためにパイロットシンボルを含むこともできる。図２において示される例示のデータ信号を、図１ａ及び図１ｂにおいて示されるハードウェアの実装に送信できる。
【００４９】
サイクルスリップ検出器／訂正器１０５及び１５５において実行されるようなサイクルスリップの検出及び訂正のためのアルゴリズムのフローチャートが図３に示される。ステップ３０１で、同期及びデータシンボルは、デ・ローテーションの後に受信される。ステップ３０３において、サイクルスリップ検出器／訂正器は、同期シンボルのｋ番目のブロック（又は同期ブロック内の同期シンボルの直前のブロック）が到達したかどうかを検出する。同期シンボルのｋ番目のブロックが到達した場合、ステップ３０５が実行され、位相アンビギュイティ角
【００５０】
【数１３】
2012528520.tif 000015
【００５１】
が、上述の等式（４）を使用して計算される。ステップ３０７において、位相アンビギュイティ角
【００５２】
【数１４】
2012528520.tif 000016
【００５３】
が、図１ａ又は図１ｂに示されたフィードバック又はフィードフォワードのどちらかの実装により格納された前の位相アンビギュイティ角
【００５４】
【数１５】
2012528520.tif 000017
【００５５】
と比較される。双方の角度が一致した場合、プロセスはステップ３１１において終了する。双方の角度が一致しない場合は、ステップ３０９が実行され、既知の方法でサイクルスリップの訂正を開始する。
【００５６】
本詳細な説明は本発明の原理を説明する。したがって、当業者が、本明細書には明確に記載されていないが、本発明の原理を具現化し、本発明の趣旨及び範囲内に含まれるさまざまな処理を考え出すことができることは理解できよう。
【００５７】
本明細書において述べられたすべての例および条件語は、教育上の目的で発明者が本技術を拡大するのに貢献する本発明の原理及び概念を、読み手が理解するのを助けることが意図され、特に述べられた例示及び条件等に限定されないものとして理解される。
【００５８】
さらに、本明細書において原理、態様、及び実施形態を述べるすべての主張、それと同様にこれらの特定の例示は、これらと構造及び機能の等価物を包含することが意図される。加えて、この等価物は、現在公知の等価物、及び将来的に開発される等価物、つまり構造に関係なく、同様の機能を実行するよう開発された任意の要素の双方を含むことが意図される。
【００５９】
したがって、例えば、当業者により、本明細書に示されたブロック図は、本発明の原理を実現する例示の回路の概念図を表すことが理解されるであろう。同様に、任意のフローチャート、フロー図、状態遷移図、擬似コード等が、コンピュータ可読媒体において十分に表すことができ、コンピュータ又はプロセッサがはっきりと示されていてもいなくても、これらのコンピュータ又はプロセッサにより実行できるさまざまなプロセスを表すことが理解されるであろう。
【００６０】
図に示されているこのさまざまな要素の機能を、専用のハードウェア、及びソフトウェアと関連してソフトウェアを実行できるハードウェアの使用を通して提供できる。プロセッサにより提供されたときに、機能は１の専用のプロセッサ、１の共有プロセッサ、又はいくつかを共有できる複数の個々のプロセッサにより提供される。さらに、単語「プロセッサ」又は「コントローラ」の明示的な使用は、ソフトウェアを実行することができるハードウェアにのみ言及すると解釈されるべきでなく、ＤＳＰ（digital signal processor）ハードウェア、ソフトウェアを記憶するためのＲＯＭ（read only memory）、ＲＡＭ（random access memory）及び不揮発性ストレージを含むがこれに限定されないことが黙示的に理解できる。
【００６１】
従来の、及び／又はカスタムの他のハードウェアも、また含むことができる。同様に、図に示された任意のスイッチは概念のみである。それらの機能を、プログラム論理の演算、専用の論理、プログラム制御と専用の論理の相互作用、又はコンテキストからより明確に理解できるものとして実装者により選択される同様の手動の特定の技術を通して実行できる。
【００６２】
本発明の特許請求の範囲において、特定の機能を実行するための手段として表現された任意の要素が、例えば、ａ）その機能を実行する回路の要素の組み合わせ、又は、ｂ）それゆえにファームウェア、マイクロコード又はそれと同等のものを含む任意の形式におけるソフトウェアであって、機能を実行するそのソフトウェアを実行するための適切な回路を結合したソフトウェアを含む任意の方法を包含することが意図される。特許請求の範囲により定義されるものとして表された本発明の原理は、さまざまな記載された手段により提供される機能性が、特許請求の範囲が要求する仕方で結合され、まとめられるという事実に内在する。したがって、これらの機能を提供できる任意の手段は本明細書に示された手段と等価物とみなされる。
【００６３】
本明細書における本発明の「一実施形態」及び他のさまざまな実施形態は、実施例に関連して記載された特定の特徴、構造、特性等が本発明の原理の少なくとも一の実施形態に含まれることを意味する。したがって、本明細書のさまざまな箇所に渡って現れる「１実施形態において」という語句の出現は、他の任意のバリエーションとともに、必ずしもすべて同じ実施形態について言及するものでもない。
【図１ａ】
2012528520.tif 000034
【図１ｂ】
2012528520.tif 000035
【図２】
2012528520.tif 000036
【図３】
2012528520.tif 000037
【国際調査報告】
2012528520.tif 000038
2012528520.tif 000039
2012528520.tif 000040